【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
二面を有する略平板状の表示装置と、
略平板状の検出面を有し、該検出面上におけるユーザの指示位置を検出する位置情報入力部と、を備え、
該位置情報入力部は、前記表示装置の二面のうち、少なくともいずれか一方の面に対向自在に設けられるとともに、前記位置情報入力部が検出した前記検出面上におけるユーザの指示位置に対応する前記表示装置の位置に情報を表示する、
ことを特徴とする情報処理装置。
【請求項２】
請求項１に記載の情報処理装置において、
前記位置情報入力部は、透過性を有する材質で形成したことを特徴とする情報処理装置。
【請求項３】
請求項１または請求項２に記載の情報処理装置において、
前記表示装置を複数備えたことを特徴とする情報処理装置。
【請求項４】
請求項１ないし請求項３のいずれかに記載の情報処理装置において、
前記位置情報入力部は、電磁誘導方式のタブレットとして構成されていることを特徴とする情報処理装置。
【請求項５】
請求項１ないし請求項３のいずれかに記載の情報処理装置において、
前記位置情報入力部は、感圧方式のタブレットとして構成されていることを特徴とする情報処理装置。
【請求項６】
請求項１ないし請求項５のいずれかに記載の情報処理装置において、
前記表示装置と前記位置情報入力部とが取り付けられる保持部を更に備え、
前記表示装置は、略方形に形成されるとともにその一方の端部で前記保持部に回動可能に取り付けられ、前記位置情報入力部は、前記表示装置の一方の面に対向して前記保持部に着脱可能に取り付けられる、
ことを特徴とする情報処理装置。
【請求項７】
請求項６に記載の情報処理装置において、
前記表示装置は、略シート状の電子ペーパーあるいはフレキシブルディスプレイで構成したことを特徴とする情報処理装置。
【請求項８】
請求項１ないし請求項７のいずれかに記載の情報処理装置において、
少なくとも一つのコイルを有する位置指示器を更に備え、
前記位置情報入力部は、複数のループコイルを有し、
前記コイルおよび前記ループコイルのうち、いずれか一方から他方に信号を送信して前記ユーザが指定した位置を特定する、
ことを特徴とする情報処理装置。
【請求項９】
請求項８に記載の情報処理装置において、
前記表示装置のうち、前記ユーザが任意に選択した表示装置を特定する選択状態特定部を更に備えたことを特徴とする情報処理装置。
【請求項１０】
請求項９記載の情報処理装置において、
前記表示装置は、前記二面の双方に表示部を備え、
前記選択状態特定部は、前記ユーザが任意に選択した前記表示面を特定する、
ことを特徴とする情報処理装置。
【手続補正２】
【補正対象書類名】明細書
【補正対象項目名】０００４
【補正方法】変更
【補正の内容】
【０００４】
上記課題を解決するため、本発明は、二面を有する略平板状の表示装置と、略平板状の検出面を有し、該検出面上におけるユーザの指示位置を検出する位置情報入力部と、を備え、該位置情報入力部は、前記表示装置の二面のうち、少なくともいずれか一方の面に対向自在に設けられるとともに、前記位置情報入力部が検出した前記検出面上におけるユーザの指示位置に対応する前記表示装置の位置に情報を表示する、ことを特徴としている。
上記構成によれば、位置情報入力部は、検出面上におけるユーザの指示位置を検出する。
これにより、情報処理装置は、位置情報入力部が検出した検出面上におけるユーザの指示位置に対応する表示装置の位置に情報を表示する。
【手続補正３】
【補正対象書類名】明細書
【補正対象項目名】０００５
【補正方法】変更
【補正の内容】
【０００５】
この場合において、前記位置情報入力部は、透過性を有する材質で形成するようにしてもよい。
また、前記表示装置を複数備えるようにしてもよい。
さらに、前記位置情報入力部は、電磁誘導方式のタブレットとして構成されているようにしてもよい。
さらにまた、前記位置情報入力部は、感圧方式のタブレットとして構成されているようにしてもよい。
【手続補正４】
【補正対象書類名】明細書
【補正対象項目名】０００６
【補正方法】変更
【補正の内容】
【０００６】
また、前記表示装置と前記位置情報入力部とが取り付けられる保持部を更に備え、前記表示装置は、略方形に形成されるとともにその一方の端部で前記保持部に回動可能に取り付けられ、前記位置情報入力部は、前記表示装置の一方の面に対向して前記保持部に着脱可能に取り付けられる、ようにしてもよい。
【手続補正５】
【補正対象書類名】明細書
【補正対象項目名】０００７
【補正方法】変更
【補正の内容】
【０００７】
また、前記表示装置は、略シート状の電子ペーパーあるいはフレキシブルディスプレイで構成してもよい。
さらに、少なくとも一つのコイルを有する位置指示器を更に備え、前記位置情報入力部は、複数のループコイルを有し、前記コイルおよび前記ループコイルのうち、いずれか一方から他方に信号を送信して前記ユーザが指定した位置を特定するようにしてもよい。
【手続補正６】
【補正対象書類名】明細書
【補正対象項目名】０００８
【補正方法】変更
【補正の内容】
【０００８】
また、前記表示装置のうち、前記ユーザが任意に選択した表示装置を特定する選択状態特定部を更に備えるようにしてもよい。
さらに、前記表示装置は、前記二面の双方に表示部を備え、前記選択状態特定部は、前記ユーザが任意に選択した前記表示面を特定するようにしてもよい。
【手続補正７】
【補正対象書類名】明細書
【補正対象項目名】０００９
【補正方法】削除
【補正の内容】
【手続補正８】
【補正対象書類名】明細書
【補正対象項目名】００１８
【補正方法】変更
【補正の内容】
【００１８】
そして、制御回路６０１は、選択回路６０２によってループコイル３２２、３２４を順次選択させながら、Ａ／Ｄ変換回路６０８から入力されるデジタルデータを演算処理することにより、ペン型位置指示器１３によって指示された位置に近いループコイルを特定して、指示された位置の座標を求める。
また、ペン型位置指示器１３のＩＣ２５は、共振回路２６に誘導電流が流れる間、芯に加わる筆圧、及び、図示しない複数のスイッチの操作状態を検出し、この筆圧及び操作状態に応じて、共振回路２６に対する発振信号の送出タイミング及び送出時間を変化させる。この送出タイミング及び送出時間の変化は、サンプルホールド回路６０７に保持された電圧値をＡ／Ｄ変換回路６０８によってデジタルデータに変換する際に反映される。そして、下敷き型タブレット１４の制御回路６０１は、Ａ／Ｄ変換回路６０８から入力されるデジタルデータを演算処理することにより、筆圧及び複数のスイッチの操作状態を取得する。
【手続補正９】
【補正対象書類名】明細書
【補正対象項目名】００２６
【補正方法】変更
【補正の内容】
【００２６】
従って、ユーザがペン型位置指示器１３により電気泳動表示パネル１１-4F側で入力を行うと、その入力状態に応じて、電気泳動表示パネル１１-4Fに対応する表示が行われることとなる。すなわち、ペン型位置指示器１３によりユーザの指定した位置が下敷き型タブレット１４により検出され、検出位置の位置情報がシート型表示装置である電子ペーパー１１の表示位置に対応づけて表示ユニット１２に入力されるので、例えば、図６においては、入力履歴に基づいて手書き文字（図では、「ｗ」）が入力され、表示されることとなる。
【手続補正１０】
【補正対象書類名】明細書
【補正対象項目名】００２９
【補正方法】変更
【補正の内容】
【００２９】
［４］第４実施形態
本第４実施形態は、下敷き型タブレットを表示ユニットに組み込んだ場合の実施形態である。
図９は、第４実施形態の使用態様の説明図である。
本第４実施形態の下敷き型タブレット１４Ｃ１、１４Ｃ２は、表示ユニット１２に組み込まれており、操作対象の電子ペーパーを見開いた状態で配置し、当該電子ペーパー上でユーザがペン型位置指示器１３によりいずれかの電気泳動表示パネル側で入力を行うと、対応する下敷き型タブレット１４Ｃ１、１４Ｃ２の入力状態に応じて、電気泳動表示パネルに対応する表示が行われることとなる。
【手続補正１１】
【補正対象書類名】明細書
【補正対象項目名】００３８
【補正方法】変更
【補正の内容】
【００３８】
以上の説明では、電子ペーパーおよび下敷き型タブレットをリング型保持部を介して固定、導通するようにしていたが、専用のコネクタを表示ユニット側に複数設け、当該コネクタに電気的に接続するように構成することも可能である。また、電子ペーパーと下敷き型タブレットの固定のみを行い、電子ペーパー、下敷き型タブレットおよび表示ユニット間を相互に無線通信で接続するように構成することも可能である。